(57)【特許請求の範囲】
【請求項１】
出口部の高さが入口部の高さより高い位置に設定された温水タンクと、温水タンク下流側に設けた噴出ノズルと、温水タンク上流側に設けた通路開閉手段とを備えた温水洗浄装置において、前記通路開閉手段と温水タンクとの間に、洗浄停止中、大気開放状態になるバキュームブレーカーを配置し、このバキュームブレーカーの大気開放部の開放口を本体収納状態での噴出ノズルの噴出口よりも高い位置に配置するとともに、温水タンク上面又は温水タンク下流の配管の最高位置よりも低い位置に配置したことを特徴とする温水洗浄装置。
【請求項２】
温水タンク出口部から噴出ノズルに至る通路の一部をバキュームブレーカーの大気開放部の開放口よりも低い位置に配置したことを特徴とする請求項１記載の温水洗浄装置。
【発明の詳細な説明】
【０００１】
【発明の属する技術分野】
本発明は、温水洗浄装置に係り、特に大気開放部の配置を改良した温水洗浄装置に関する。
【０００２】
【従来の技術】
通常、温水洗浄装置は、洗浄停止時に一時配管と遮断するために、バキュームブレーカー（以下ＶＢという）等の大気開放口を設け、大気開放状態になり、配管内に大気導入する装置を組み込むことが義務付けられている。
【０００３】
更に、大気開放部は、人体局部又は便器内部へ噴出する噴出口と一時配管の途中配管に配置される。
【０００４】
従来の温水洗浄装置を図３を基に説明すると、器具本体１内に、通路開閉手段２により導かれ貯水される温水タンク３と、この温水タンク３の出口部５に接続された噴出ノズル４と、温水タンク３の入口側に設けられたＶＢ７並びに便器洗浄ノズル８とから構成されており、ＶＢ７は閉止体７ａにより大気開放口７ｂを開閉して水流の制御を行なっている。
【０００５】
このように、従来の温水洗浄装置は、温水タンク３の上流側に通路開閉手段２を設け、温水タンク３の上部にＶＢ７を配置したもの、あるいは通路開閉手段２から温水タンク３上流側の間にＶＢ７を配置したものがあった。
【０００６】
そして、温水タンク３上部にＶＢ７を配置したものは、温水タンク３上部にＶＢ７の設置位置が制約されるとともに、温水タンク３上流側に便器洗浄ノズル８を設ける場合、更に温水タンク３の上流側に温水タンク３上面位置間で配管を立ち上げてＶＢ７を設ける必要があった。
【０００７】
また、通路開閉手段２から温水タンク３上流側の間にＶＢ７を配置したものは、温水タンク３下流側通路が空気で置換された場合、ＶＢ７の大気開放口７ｂから温水タンク３内の貯水が逆流するため、温水タンク３上流側に温水タンク３上面位置まで配管を立ち上げてＶＢ７を設ける必要があった。
【０００８】
【発明が解決しようとする課題】
このように、従来の温水洗浄装置は、ＶＢ７の設置位置が特に高さ方向で制約があり、この制約によりＶＢ７と便器洗浄ノズル８とを一体化することができず、製品のコンパクト化を図る上で大きな障害となっていた。
【０００９】
また、ＶＢ７が複数個必要である場合など、本体１内の配管が繁雑になるなどの問題点が指摘されていた。
【００１０】
この発明は、このような事情に鑑みてなされたもので、ＶＢ７の高さ方向の制約を解消し、ＶＢ７と便器洗浄ノズル８とを一体化し、配管をシンプルにまとめ、洗浄装置全体をコンパクト化することを可能にした温水洗浄装置を提供することを目的とする。
【００１１】
【課題を解決するための手段】
上記目的を達成するために、本発明に係る温水洗浄装置は、出口部の高さが入口部の高さより高い位置に設定された温水タンクと、温水タンク下流側に設けた噴出ノズルと、温水タンク上流側に設けた通路開閉手段とを備えた温水洗浄装置において、前記通路開閉手段と温水タンクとの間に、洗浄停止中、大気開放状態になるＶＢを配置し、このＶＢの大気開放部の開放口を本体収納状態での噴出ノズルの噴出口よりも高い位置に配置するとともに、温水タンク上面又は温水タンク下流の配管の最高位置よりも低い位置に配置したことを特徴とする。
【００１２】
また、本発明に係る温水洗浄装置は、温水タンク出口部から噴出ノズルに至る通路の一部をＶＢの大気開放部の開放口よりも低い位置に配置したことを特徴とする。
【００１４】
以上の構成から明らかなように、本発明によれば、大気開放部の開放口を噴出ノズルの噴出口よりも高い位置に配置したことによって、開放口は噴出口よりも高位であるので、洗浄停止時、開放口と噴出口のヘッド差によって、噴出口から配管内の残水が排水され、排水が進むことによって、開放口からの大気導入が進み、開放口から温水タンク入口へ至る配管内と噴出口のヘッド差が零、即ち配管内の水位が噴出口と同一位置になり、排水が停止し、この状態が自然に発生することによって、温水タンクの貯水の逆流を防止する。
【００１５】
万一、開放口からの大気導入が不可能になり、噴出口から大気導入された場合、温水タンク出口側の配管の一部を開放口よりも低位に配置したことが有効になる。
【００１６】
噴出口から大気導入された場合、配管内の残水が開放口から排水され、排水が進むことによって噴出口からの大気導入が進むが、途中配管が開放口よりも低位であるので、配管内の水位が開放口と同一位置になり、排水が停止し、この状態になることによって、温水タンクの貯水の逆流を防止する。
【００１７】
一方、便器洗浄ノズルのように、噴出口よりも低位に開放口を有する部品は、温水タンク入口に至る通路に逆流防止弁を設けることによって、洗浄停止時は閉状態とし、前記噴出口からの大気導入があった場合、開放口からの排水を防止する。
【００１８】
【発明の実施の形態】
以下、本発明に係る温水洗浄装置の実施形態について図面に基づいて詳細に説明する。
【００１９】
尚、図１は便器洗浄ノズルつきの温水洗浄装置の概略構成を示すもので、図２は便器洗浄ノズルを廃止した温水洗浄装置の概略構成を示す説明図である。
【００２０】
まず、図１において、本発明に係る便器洗浄ノズル付の温水洗浄装置は、器具本体１０の入口から順に設置される開閉手段１１，ＶＢ１２，便器洗浄ノズル１３，温水タンク１４，噴出ノズル１５により大略構成されている。
【００２１】
更に詳しくは、温水タンク１４の入口部１６は、出口部１７よりも低い位置に設定されており、噴出ノズル１５の先端には噴出口１８が設けられているとともに、ＶＢ１２は閉止体１９と開放口２０により構成され、水圧が加わることによって、閉止体１９が開放口２０に押し付けられ、開放口２０が閉状態になる。
【００２２】
そして、洗浄停止中は、閉止体１９が自重によって落下し、開放口２０が開状態になり、通路内に大気を導入することになる。
【００２３】
尚、便器洗浄ノズル１３は逆流防止弁２１と開放口２２から構成され、ＶＢ１２から分岐される。
【００２４】
これによって、開閉手段１１から便器洗浄ノズル１３に至る通路、開閉手段１１から噴出ノズル１５に至る通路について、ＶＢ１２を必ず経由することになり、温水洗浄装置における義務づけを満足することになる。
【００２５】
次いで、上記各部品と配管の高さ関係について説明すると、ＶＢ１２の開放口２０の位置ａは、噴出ノズル１５の噴出口１８の収納状態での位置ｂよりも高位とし、温水タンク１４上面の位置ｄ又は温水タンク１４下流配管の最高位置ｅよりも低位に配置される。
【００２６】
また、温水タンク１４下流の配管の一部ｃ位置は、ＶＢ１２開放口２０位置ａよりも低位である。
【００２７】
更に、便器洗浄ノズル開放口２２は最下位に配置する。
【００２８】
従って、洗浄中は、開閉手段１１が開き、ＶＢ１２の閉止体１９が水圧によって押し上げられ、ＶＢ１２から便器洗浄ノズル１３と温水タンクの入口部１６へ分岐され、一方の便器洗浄ノズル１３へ通水されると逆流防止弁２１が開き、開放口２２から本体外へ排水されるとともに、一方の温水タンク入口部１６へ通水され温水タンク１４内に貯水され、貯水が完了すると噴出ノズル１５に導かれ、噴出口１８から本体外へ動き、人体局部に向かって排水される。
【００２９】
そして、洗浄停止時は、開閉手段１１が閉じて、給水源からの通水を遮断するため、噴出口１８からの排水が停止するとともに、逆流防止弁２１が閉じて開放口２２からの排水が停止し、ＶＢ１２では、閉止体１９が自重で落下し、開放口２０が開き、大気導入され、開放口２０から導入された空気は、ＶＢ１２から温水タンク入口部１６までの通路に導入され、開放口位置ａと噴出口位置ｂとの関係から、噴出口１８から配管の残水が排水される。
【００３０】
そして、排水が進むことによって開放口２０からの大気導入が進み、開放口２０から温水タンク入口部１６への配管内の水位が噴出口位置ｂと同一になり排水が停止し、この状態が自然発生することによって、温水タンク１４内の貯水の開放口２０への逆流を防止する。
【００３１】
万一、開放口２０からの大気導入が不可能になり、噴出口１８から大気導入され、空気が噴出ノズル１５内で開放口位置ａよりも高位になった場合、配管の残水が開放口２０から排水され、排水が進むことによって噴出口１８からの大気導入が進むが、開放口位置ａが温水タンク下流の配管位置ｃよりも高位であるため、温水タンク下流の配管の水位が開放口位置ａと同一になり、排水が停止し、この状態が自然発生することによって、温水タンク１４内の貯水の開放口２０への逆流を防止する。
【００３２】
図２は便器洗浄ノズル１１を廃止した温水洗浄装置の概略構成を示すもので、基本構成は上述実施形態と同一なので、同一番号を付し、その詳細な説明は省略するが、この温水洗浄装置においても、ＶＢ１２の開放口２０の位置ａは、噴出ノズル１５の噴出口１８の収納状態での位置ｂよりも高位とし、かつ温水タンク１４上面の位置ｄ又は温水タンク下流の配管の最高位置ｅよりも低位に配置されているとともに、温水タンク下流の配管の一部ｃ位置は、ＶＢ１２開放口位置ａよりも低位である。
【００３３】
従って、この図２に示す温水洗浄装置においても、温水タンク１４内の貯水の開放口２０への逆流を確実に防止できる。
【００３４】
【発明の効果】
以上説明した通り、本発明に係る温水洗浄装置は、ＶＢの配置位置を本体内で比較的低位置に設定することが可能であり、温水タンクの貯水が開放口へ逆流することを確実に防止できるとともに、便器洗浄ノズルとＶＢを一体化して配置することが可能となり、製品全体のコンパクト化を可能にするなどの効果を有する。
【図面の簡単な説明】
【図１】本発明に係る温水洗浄装置の一実施形態を示す概要図。
【図２】本発明に係る温水洗浄装置の別の実施形態を示す概要図。
【図３】従来の温水洗浄装置の該略図。
【符号の説明】
１０  器具本体
１１  開閉手段
１２  ＶＢ
１３  便器洗浄ノズル
１４  温水タンク
１５  噴出ノズル
１６  入口部
１７  出口部
１８  噴出口
１９  閉止体
２０  開放口
２１  逆流防止弁
２２  開放口
【図１】
0003729287.tif 000002
【図２】
0003729287.tif 000003
【図３】
0003729287.tif 000004